(57)【要約】      （修正有）【課題】現場での施工誤差によって、固定部材が外れてしまうことのない吐水装置を提供する。【解決手段】施工面に取り付けられる引き出し式の吐水装置であって、吐水部を有する吐水ヘッドと、吐水ヘッドと給水源を接続するフレキシブルホース１５と、施工面に取り付けられてフレキシブルホース１５が貫通するホースガイドと、を備え、フレキシブルホース１５は吐水ヘッドと逆の端部に、接続部材１１１を有し、ホースガイドが施工面に固定される固定部材と、固定部材に取り付けられてフレキシブルホース１５を支持するガイド部材９と、を有し、固定部材の内径φ１は接続部材１１１の外径φ３よりも大きく、ガイド部材９の内径φ２は接続部材１１１の外径φ３よりも小さい。【選択図】図５
2014211040.tif 000002
【特許請求の範囲】
【請求項１】
施工面に取り付けられる引き出し式の吐水装置であって、
吐水部を有する吐水ヘッドと、
前記吐水ヘッドと給水源を接続するフレキシブルホースと、
前記施工面に取り付けられて前記フレキシブルホースが貫通するホースガイドと、を備え、
前記フレキシブルホースは前記吐水ヘッドと逆の端部に、接続部材を有し、
前記ホースガイドが前記施工面に固定される固定部材と、前記固定部材に取り付けられて前記フレキシブルホースを支持するガイド部材と、を有し、
前記固定部材の内径は前記接続部材の外径よりも大きく、前記ガイド部材の内径は前記接続部材の外径よりも小さいことを特徴とする吐水装置。
【請求項２】
前記固定部材には、前記ガイド部材が挿入されるガイド部材挿入部を、
前記ガイド部材には、前記固定部材へ挿入される固定部材挿入部を、夫々備え、
前記固定部材挿入部には前記フレキシブルホースが貫通しており、
前記固定部材挿入部を、前記ガイド部材挿入部へ挿入することで前記ガイド部材を前記固定部材へ取り付けることを特徴とする請求項１に記載の吐水装置。
【請求項３】
前記ガイド部材が、前記固定部材にスナップフィットによって固定されることを特徴とする請求項２に記載の吐水装置。
【請求項４】
前記固定部材挿入部の外周に溝部を、
前記ガイド部材挿入部の外周に止め輪と止め輪貫通孔を、夫々有し、
前記止め輪が、前記止め輪貫通孔を通じて前記溝部に嵌合することで、前記ガイド部材が前記固定部材に固定されることを特徴とする請求項２に記載の吐水装置。
【請求項５】
前記固定部材挿入部の外周と、前記ガイド部材挿入部の、何れか一方に凸部を、他方に挿入溝を備え、
前記挿入溝はガイド部材の挿入方向に伸びる案内溝と、前記案内溝と直行する係止溝とから構成されてなることを特徴とする請求項２に記載の吐水装置。
【発明の詳細な説明】
【技術分野】
【０００１】
本発明は、吐水装置に係り、引き出して利用される引き出し式の吐水装置に関わる。
【背景技術】
【０００２】
近年、洗面化粧台において、ボウル部奥側に立ち上がり壁部を有し、その立ち上がり壁部に対して水栓金具を垂直に取り付ける、所謂壁付タイプが増えてきている。壁付タイプの水栓金具は、ハンドシャワー部とハンドル部が分離し、それぞれ独立して立ち上がり壁部に取り付いているものが一般的である。水栓金具をボウル奥側の立ち上がり壁部に取り付けることによって、ボウル部をフラットに構成することが出来、小物を置くスペースを確保できることや、清掃性が向上することがその理由である。
【０００３】
従来、このようなタイプの洗面化粧台において、洗面金具の固定方式としては、ホースガイドと袋ナット（又はねじ等）で立ち上がり壁部を挟み込む構成が採用されることが一般的であった。このような構造は壁部に特別な強度を必要とせず、安価に構成できるという点で優れている。
【０００４】
しかしながら、上記のような構造においては、立ち上がり壁部を挟み込む必要があるため、施工の際には立ち上がり壁部の裏面から袋ナットやネジなどで固定する必要があった。前面から袋ナットなどをねじ込むことも不可能ではないが、著しく意匠性を損なう。洗面化粧台を建築躯体に固定した後で水栓を施工する場合、立ち上がり壁部の裏側に配置された袋ナット等の固定部材は、施工者から目視確認することができない。それにより、作業性が悪く、施工完了後の目視確認も出来ないため信頼性が低いという課題が存在した。
【０００５】
また、従来のホースガイドはホースに取り付けられた状態で出荷され、現場にてホースガイドを立ち上がり壁部へ施工することが行われてきた。その為、施工者の練度や能力などによって、施工精度にばらつきが生じるという問題が発生していた。とくに、袋ナットなどのねじ込みが甘い場合、使用中にホースガイドが立ち上がり壁部から脱落してしまうという問題が発生する可能性があった。この場合、前述したように袋ナットは施工者・使用者から目視確認できない位置にあるため、緩みが発生した場合でもこれに気づくことが難しく、脱落が起きるまで気づかない可能性が高い。また、脱落した際に再度施工することも難しい。
【先行技術文献】
【特許文献】
【０００６】
【特許文献１】特開平７−１９７４９８
【発明の概要】
【発明が解決しようとする課題】
【０００７】
本発明は、上記問題を解決するためになされたもので、本発明の課題は、現場での施工誤差によって、固定部材が外れてしまうことのない吐水装置を提供することである。
【課題を解決するための手段】
【０００８】
上記課題を解決するための本発明は、施工面に取り付けられる引き出し式の吐水装置であって、吐水部を有する吐水ヘッドと、前記吐水ヘッドと給水源を接続するフレキシブルホースと、前記施工面に取り付けられて前記フレキシブルホースが貫通するホースガイドと、を備え、前記フレキシブルホースは前記吐水ヘッドと逆の端部に、接続部材を有し、前記ホースガイドが前記施工面に固定される固定部材と、前記固定部材に取り付けられて前記フレキシブルホースを支持するガイド部材と、を有し、前記固定部材の内径は前記接続部材の外径よりも大きく、前記ガイド部材の内径は前記接続部材の外径よりも小さいことを特徴とする。
このように構成された本発明によれば、ホースガイドを二部材で構成することによって、施工面にあらかじめ固定部材を固定しておくことができる。つまり、工場出荷時に予め固定部材を固定することが出来るため、現場での施工ミスや施工誤差によって固定部材が外れてしまうことを抑制することが出来るようになる。
【０００９】
本発明によれば好ましくはさらに、前記固定部材には、前記ガイド部材が挿入されるガイド部材挿入部を、前記ガイド部材には、前記固定部材へ挿入される固定部材挿入部を、夫々備え、前記固定部材挿入部には前記フレキシブルホースが貫通しており、前記固定部材挿入部を、前記ガイド部材挿入部へ挿入することで前記ガイド部材を前記固定部材へ取り付ける。
このように構成することによって、内部にフレキシブルホースが貫通したガイド部材の固定部材挿入部を、ガイド部材挿入部へ挿入することによってホースを保持したままガイド部材と固定部材との接続を行うことが出来ると同時に、フレキシブルホースと固定部材との間を、ガイド部材の固定部材挿入部によって埋めることが出来るようになる。
【００１０】
本発明によれば好ましくはさらに、前記ガイド部材が、前記固定部材にスナップフィットによって固定される。
このように構成することによって、固定部材挿入部を、ガイド部材挿入部に挿入することと同時に、スナップフィットによって固定されるように構成することが可能となる。ホース及びガイド部材の挿入と固定を同時に行うことが出来、現場で容易にかつ誰が行っても誤差なく施工を行うことが可能となる。
【００１１】
本発明によれば好ましくはさらに、前記固定部材挿入部の外周に溝部を、前記ガイド部材挿入部の外周に止め輪と止め輪貫通孔を、夫々有し、前記止め輪が、前記止め輪貫通孔を通じて前記溝部に嵌合することで、前記ガイド部材が前記固定部材に固定される。
このように構成することによって、固定部材挿入部を、ガイド部材挿入部に挿入することと同時に、止め輪によって固定されるように構成することが可能となる。ホース及びガイド部材の挿入と固定を同時に行うことが出来、現場で容易にかつ誰が行っても誤差なく施工を行うことが可能となる。また、メンテナンスの際などにガイド部材を取り外したい場合には止め輪を外部から除去することで容易に取り外すことが可能となる。
【００１２】
本発明によれば好ましくはさらに、前記固定部材挿入部の外周と、前記ガイド部材挿入部の、何れか一方に凸部を、他方に挿入溝を備え、前記挿入溝はガイド部材の挿入方向に伸びる案内溝と、前記案内溝と直行する係止溝とから構成されてなる。
このように構成することによって、固定部材挿入部を、ガイド部材挿入部に挿入し、回転させることで、容易に固定することが可能となる。ホース及びガイド部材の挿入と固定を同時に行うことが出来、現場で容易にかつ誰が行っても誤差なく施工を行うことが可能となる。また、メンテナンスの際などにガイド部材を取り外したい場合にはガイド部材を回転させて引き抜けばよく、容易に取り外すことが可能である。加えて、固定機構は全て内部で完結しており、外観意匠に影響を与えることがない。
【図面の簡単な説明】
【００１３】
【図１】本発明の第１の実施例における洗面化粧台３を示す斜視図である。
【図２】本発明の第１の実施例における吐水装置１を示す分解斜視図である。
【図３】本発明の第１の実施例における固定部材７を示す断面図である。
【図４】本発明の第１の実施例におけるガイド部材９を示す断面図である。
【図５】本発明の第１の実施例における固定部材７とガイド部材９が嵌合した状態を示す断面図である。
【図６】本発明の第２の実施例における固定部材７とガイド部材９が嵌合した状態を示す断面図である。
【図７】本発明の第３の実施例における固定部材７とガイド部材９を示す斜視図である。
【図８】本発明の第３の実施例における固定部材７とガイド部材９を示す断面図である。
【発明を実施するための形態】
【００１４】
以下、本発明の実施例について、図を交えて具体的に説明を行う。
図１に本発明の第一の実施例における吐水装置１を備えた洗面化粧台３の外観斜視図を示す。洗面化粧台は下部のフロアキャビネット３１及び上部に設けられた化粧鏡３３とから構成される。フロアキャビネット３１はその上面に洗面ボウル３５を備えると同時に、洗面ボウル３５の奥側から立ち上がり壁部３７が立ち上がるように構成されている。
【００１５】
吐水装置１は温度調整及び流量調整・吐止水を行う水栓本体１１と、調整された湯水を吐水する吐水ヘッド１３とから構成されている。水栓本体１１と吐水ヘッド１３の間は立ち上がり壁部３７の背面でフレキシブルホース１５により接続されている。吐水ヘッド１３はホースガイド５を介して、立ち上がり壁部に対して着脱可能に接続されており、吐水ヘッド１３を引き出すことによって、洗面ボウル３５内部の清掃などを行うことが出来るように構成されている。また、水栓本体１１も立ち上がり壁部３７に取り付けられており、操作ハンドル１７を操作することによって、温度調整、吐止水及び流量調整を行うことが可能となっている。
【００１６】
図２にホースガイド５の分解斜視図を示す。ホースガイド部５は固定部材７及びガイド部材９の大きく２つの部品によって構成されている。固定部材７は背面にネジ部７１を有し、このネジ部７１に対して袋ナット７３が螺合する。これにより、袋ナット７３とフランジ部７５によって立ち上がり壁部３７を挟持する形で、立ち上がり壁部３７に取り付けられるように構成されている。
【００１７】
ガイド部材９にはフレキシブルホース１５が挿入される。このとき、フレキシブルホース１５はフレキチューブ１９によって被われ、保護されている。また、フレキシブルホース１５の先端には吐水ヘッド接続部材１３１が挿入されており、その周囲にかしめ具１３３をかしめることによって固定されている。
【００１８】
ガイド部材９はその端部に抜け止め部９１を有している。ガイド部材９をフレキシブルホース１５に取り付けた状態で先述の吐水ヘッド接続部材１３１を取り付けることによって、抜け止め部９１が吐水ヘッド接続部材１３１と接触して、フレキシブルホース１５から脱落しないように構成されている。
【００１９】
固定部材７が立ち上がり壁部３７に取り付いた状態の断面図を図３に示す。先述したように、ネジ部７１に対して袋ナット７３が螺合することによって、立ち上がり壁部３７を挟持している。洗面化粧台を工場から出荷するさいに固定部材７を立ち上がり壁部３７へ取り付けておくことが好ましい。工場で袋ナット７３を螺合することによって、現場での施工誤差などによって固定部材７が立ち上がり壁部３７から外れてしまったり、使用中に徐々に緩んでがたついてしまうことなどを抑制できるためである。
【００２０】
固定部材７はその側面に止め輪７７を取り付けるためのスリット７９を設けてある。止め和７７はこのスリット７９を通じてガイド部材９と接触する。これにより、固定部材７とガイド部材９とが固定される仕組みである。固定部材７の内径φ１は当然ながらフレキシブルホース１５の外径よりも大きく設定されている。
【００２１】
図４にガイド部材９が取り付いた状態のフレキシブルホース１５を示す。先述したようにフレキシブルホース１５はアウターチューブ１９によって保護されている。アウターチューブ１９は金属で構成することが好ましい。フレキシブルホース１５を水密性と柔軟性に富んだ樹脂部材で構成した場合であっても、金属製のアウターチューブ１９で覆うことによって、ガイド部材９との摩擦や異物との接触によりフレキシブルホース１５が破損してしまうことを抑制できる。
【００２２】
ガイド部材９の内径φ２はフレキシブルホース１５の外径と略同一に形成されている。内径φ２は少なくともフレキシブルホース１５の外径よりも大きい必要があるが、過剰に大きい場合、両社の間に大きな隙間が発生してしまう。すると、前面からの水の浸入などが発生してしまったり、前面から立ち上がり壁部３７の裏面が見えてしまったりするため、好ましくない。
【００２３】
フレキシブルホース１５の先端には吐水ヘッド接続部１３１が取り付けられている。吐水ヘッド接続部１３１はその端部に挿入部１３５を有しており、この挿入部１３５がフレキシブルホース１５の内部に挿入されることで接続が行われる。挿入部１３５が挿入された状態でこれを覆うようにかしめ具１３３がかしめられ、挿入部１３５は抜けないように固定される。
【００２４】
フレキシブルホース１５の逆の端部には、水栓本体接続部材１１１が取り付けられている。水栓本体接続部材１１１の外径φ３はガイド部材９の内径φ２よりも大きい。これにより、ガイド部材９がフレキシブルホース１５から脱落することが抑制できる。
【００２５】
フレキシブルホース１５を製造する際には、水栓本体接続部材１１１が取り付けられた状態で、先端からガイド部材９が挿入される。その後、先端部に吐水ヘッド接続部１３１を取り付けて製造される。これにより、ガイド部材９は何れの端部から脱落しない状態となる。
【００２６】
吐水ヘッド接続部１３１はその周囲にパッキン１３７を備えてなる。これは、吐水ヘッド１３を水密に接続するために設けられている。吐水ヘッド接続部１３１は図示していない吐水ヘッド１３に対して挿入して接続される。
【００２７】
ガイド部材９の側面には止め輪溝９３が一周にわたって設けられている。固定部材７の外部からスリット７９を通じて止め輪７７が止め輪溝９３へ嵌合することによって、ガイド部材９と固定部材７の固定が行われる。止め輪溝９３を一周に渡って設けることにより、ガイド部材９と固定部材７が相対的に回転しても問題なく固定を行うことが可能となる。
【００２８】
図５に固定部材７とガイド部材９が嵌合した状態の断面図を示す。先述のように、ガイド部材９の一部が固定部材７へ挿入され、固定部材７の外周から止め輪７７を取り付けることによって、両者が相対的に脱落しないように固定されている。
【００２９】
このとき、抜け止め部９１の外径は固定部材７の内径φ１よりも大きく設定されている。これにより、ガイド部材９を必要以上に挿入してしまい、立ち上がり壁部３７の裏面へ脱落してしまうことを抑制することが可能となる。また、固定部材７にガイド部材９を取り付けた際に発生する、両者の間の隙間を隠すことが出来る。
【００３０】
水栓本体接続部材１１１の外径φ３は、固定部材７の内径φ１よりも小さい。この為、ガイド部材９を固定部材７へ固定する際には、まずフレキシブルホース１５を、水栓本体接続部材１１１側から固定部材７へ挿入を行うことで固定が行われる。その後、止め輪７７で両者を固定することで、施工現場においても手軽に、均一的な固定を行うことが出来るようになる。また、固定部材７は工場出荷時に予め立ち上がり壁部３７へ固定されているので、固定が不十分で立ち上がり壁部３７から固定部材７が脱落することは起こりにくい。
【００３１】
本発明の第２の実施例について図６に示す。第一の実施例と共通の部材には同じ符号を付し、説明は省いている。
第２の実施例においては、ガイド部材９がスナップフィット爪９５を有し、固定部材７の外周に設けられた係止部７２へ係止することで固定が行われる。
【００３２】
なお、係止部７２を全周にわたって設けることで、固定部材７とガイド部材９とが、相対的に回転位置を気にすることなく固定を行うことが可能となる。
【００３３】
本発明の第３の実施例について図７に示す。
第３の実施例において、固定部材７はその内周に係止突起７４を有している。一方、ガイド部材９はその外周部に、係止突起７４の外径よりも大きな幅をもつ案内溝９７と、この案内溝９７か略直角方向に屈曲する係止溝９９を有している。
【００３４】
固定部材７へガイド部材９を挿入する際、係止突起７４は先ず案内溝９７と嵌合する。その後、ガイド部材９が挿入されるに従って、係止突起７４は係止溝９９へと近づいていく。そして、係止溝９９へ到達した時点でガイド部材９を回転させることによって、係止突起７４は係止溝９９へと挿入されるに至る。これにより、ガイド部材９は固定部材７から引き抜かれる方向に力がかかっても脱落することがない。一方で、ガイド部材９を固定した際と逆方向に回転することによって、容易に取り外すことが可能となる。
【００３５】
以上、本発明について具体的実施例を挙げながら説明を行ったが、本発明はこれらの実施例に限られるものではなく、本発明から逸脱しない範囲で適宜設計を行うことが出来る。例えば、固定部材とガイド部材の固定方法についていくつか例を挙げて説明を行ったが、実施例に挙げた以外にもネジ固定や接着など、様々な固定方法を採用することが可能である。
【符号の説明】
【００３６】
１        吐水装置
１１      水栓本体
１１１    水栓本体接続部材（接続部材）
１３      吐水ヘッド
１３１    吐水ヘッド接続部
１３３    かしめ具
１３５    挿入部
１３７    パッキン
１３９    フィルタ
１５      フレキシブルホース
１７      操作ハンドル
１９      フレキチューブ
３        洗面化粧台
３１      フロアキャビネット
３３      化粧鏡
３５      洗面ボウル
３７      立ち上がり壁部
５        ホースガイド
７        固定部材
７１      ネジ部
７２      係止部
７３      袋ナット
７４      係止突起
７５      フランジ部
７７      止め輪
７９      スリット
９        ガイド部材
９１      抜け止め部
９３      止め輪溝
９５      スナップフィット爪
９７      案内溝
９９      係止溝
φ１      固定部材内径
φ２      ガイド部材内径
φ３      水栓本体接続部材外径（接続部材外径）
【図２】
2014211040.tif 000003
【図３】
2014211040.tif 000004
【図４】
2014211040.tif 000005
【図５】
2014211040.tif 000006
【図１】
2014211040.tif 000007
【図６】
2014211040.tif 000008
【図７】
2014211040.tif 000009
【図８】
2014211040.tif 000010